【手続補正書】
【提出日】平成18年8月25日(2006.8.25)
【手続補正１】
【補正対象書類名】特許請求の範囲
【補正対象項目名】全文
【補正方法】変更
【補正の内容】
【特許請求の範囲】
【請求項１】
下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置であって、
上記下地で残すべき最終ブロックのデータを格納する第１の記憶手段と、
上記第１の記憶手段に格納された下地で残すべき最終ブロックのデータを待避させる不揮発性の第２の記憶手段と、
上記第１及び第２の記憶手段に対するデータの書き込み／読み出し制御を行う制御手段とを備え、
上記制御手段は、上記第１の記憶手段に下地で残すべき最終ブロックのデータを格納し、上記下地で残すべき最終ブロックのデータの少なくとも一部を上記第１の記憶手段から第２の記憶手段に書き込む制御を行うことを特徴とする磁気記録再生装置。
【請求項２】
下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置の制御方法であって、
上記下地で残すべき最終ブロックのデータを第１の記憶手段に格納し、
上記第１の記憶手段に格納された上記下地で残すべき最終ブロックのデータの少なくとも一部を、不揮発性の第２の記憶手段に書き込んで待避させることを特徴とする磁気記録再生装置の制御方法。
【請求項３】
下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置であって、
上記下地で残すべき最終ブロックのデータを格納する第１の記憶手段と、
上記第１の記憶手段に格納された下地で残すべき最終ブロックのデータを待避させる不揮発性の第２の記憶手段と、
上記第１及び第２の記憶手段に対するデータの書き込み／読み出し制御を行う制御手段とを備え、
上記制御手段は、上記第１の記憶手段に下地で残すべき最終ブロックのデータを格納し、つなぎ記録ができる状態の時に電源がオフされた場合に、上記下地で残すべき最終ブロックのデータを上記第１の記憶手段から第２の記憶手段に退避させ、その後、電源がオンされたときに、上記第２の記憶手段に退避した下地で残すべき最終ブロックのデータを上記第１の記憶手段に読み戻し、その後、記録が開始された場合、上記第１の記憶手段から上記下地で残すべき最終ブロックのデータの最後に新たなつなぎ記録データをつなぎ合わせて、記録を開始することを特徴とする磁気記録再生装置。
【請求項４】
上記制御手段は、上記つなぎ記録ができる状態の時に電源がオフされた場合に、上記第２の記憶手段に下地で残すべき最終ブロックのデータを退避したことを示す情報を上記第２の記憶手段に書き込んでおき、電源がオンされたときに、上記第２の記憶手段に下地で残すべき最終ブロックのデータを退避したことを示す情報に基づいて、上記第２の記憶手段から退避した下地で残すべき最終ブロックのデータを上記第１の記憶手段に読み戻し、その後、記録が開始された場合、上記第１の記憶手段から上記下地で残すべき最終ブロックのデータの最後に新たなつなぎ記録データをつなぎ合わせて、記録を開始することを特徴とする請求項３記載の磁気記録再生装置。
【請求項５】
下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置の制御方法であって、
上記下地で残すべき最終ブロックのデータを第１の記憶手段に格納し、
つなぎ記録ができる状態の時に電源がオフされた場合に、上記下地で残すべき最終ブロックのデータを上記第１の記憶手段から第２の記憶手段に退避し、
その後、電源がオンされたときに、上記第２の記憶手段に退避した下地で残すべき最終ブロックのデータを上記第１の記憶手段に読み戻し、
その後、記録が開始された場合、上記第１の記憶手段から上記下地で残すべき最終ブロックのデータの最後に新たなつなぎ記録データをつなぎ合わせて、記録を開始することを特徴とする磁気記録再生装置の制御方法。
【手続補正２】
【補正対象書類名】明細書
【補正対象項目名】発明の名称
【補正方法】変更
【補正の内容】
【発明の名称】磁気記録再生装置及びその制御方法
【手続補正３】
【補正対象書類名】明細書
【補正対象項目名】０００１
【補正方法】変更
【補正の内容】
【０００１】
本発明は、デジタルデータの磁気記録再生装置に関し、特に、つなぎ記録機能を備える磁気記録再生装置及びその制御方法に関する。
【手続補正４】
【補正対象書類名】明細書
【補正対象項目名】００２０
【補正方法】変更
【補正の内容】
【００２０】
そこで、本発明の目的は、上述の如き従来の問題点に鑑み、電源オフからオン後のつなぎ記録開始までの待ち時間を短縮した磁気記録再生装置及びその制御方法を提供することにある。
【手続補正５】
【補正対象書類名】明細書
【補正対象項目名】００２２
【補正方法】変更
【補正の内容】
【００２２】
本発明は、下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置であって、上記下地で残すべき最終ブロックのデータを格納する第１の記憶手段と、上記第１の記憶手段に格納された下地で残すべき最終ブロックのデータを待避させる不揮発性の第２の記憶手段と、上記第１及び第２の記憶手段に対するデータの書き込み／読み出し制御を行う制御手段とを備え、上記制御手段は、上記第１の記憶手段に下地で残すべき最終ブロックのデータを格納し、上記下地で残すべき最終ブロックのデータの少なくとも一部を上記第１の記憶手段から第２の記憶手段に書き込む制御を行うことを特徴とする。
また、本発明は、下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置の制御方法であって、上記下地で残すべき最終ブロックのデータを第１の記憶手段に格納し、上記第１の記憶手段に格納された上記下地で残すべき最終ブロックのデータの少なくとも一部を、不揮発性の第２の記憶手段に書き込んで待避させることを特徴とする。
【手続補正６】
【補正対象書類名】明細書
【補正対象項目名】００２３
【補正方法】変更
【補正の内容】
【００２３】
また、本発明は、下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置であって、上記下地で残すべき最終ブロックのデータを格納する第１の記憶手段と、上記第１の記憶手段に格納された下地で残すべき最終ブロックのデータを待避させる不揮発性の第２の記憶手段と、上記第１及び第２の記憶手段に対するデータの書き込み／読み出し制御を行う制御手段とを備え、上記制御手段は、上記第１の記憶手段に下地で残すべき最終ブロックのデータを格納し、つなぎ記録ができる状態の時に電源がオフされた場合に、上記下地で残すべき最終ブロックのデータを上記第１の記憶手段から第２の記憶手段に退避させ、その後、電源がオンされたときに、上記第２の記憶手段に退避した下地で残すべき最終ブロックのデータを上記第１の記憶手段に読み戻し、その後、記録が開始された場合、上記第１の記憶手段から上記下地で残すべき最終ブロックのデータの最後に新たなつなぎ記録データをつなぎ合わせて、記録を開始することを特徴とする。
また、本発明は、下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置の制御方法であって、上記下地で残すべき最終ブロックのデータを第１の記憶手段に格納し、つなぎ記録ができる状態の時に電源がオフされた場合に、上記下地で残すべき最終ブロックのデータを上記第１の記憶手段から第２の記憶手段に退避し、その後、電源がオンされたときに、上記第２の記憶手段に退避した下地で残すべき最終ブロックのデータを上記第１の記憶手段に読み戻し、その後、記録が開始された場合、上記第１の記憶手段から上記下地で残すべき最終ブロックのデータの最後に新たなつなぎ記録データをつなぎ合わせて、記録を開始することを特徴とする。